(57)【要約】【課題】液晶表示機能付き高周波加熱調理器において、液晶駆動ＩＣより生成された液晶印加電圧の温度変動を利用し、温度検知素子（サーミスタ）を不要にすること。【解決手段】装置本体内に設けられた被加熱物を収納する加熱室５と、前記加熱室５内に高周波電力を供給する高周波発生装置１と前記加熱室５内を電熱加熱する電熱加熱手段４と、調理時刻等の設定及び表示をする液晶表示ユニット７と、前記液晶表示ユニット７と前記高周波発生装置１と前記電熱加熱手段４を駆動する制御部８を備え、前記液晶表示ユニット内の液晶駆動ＩＣで生成した液晶印加電圧は温度係数を持っており、前記液晶印加電圧から前記加熱室５の温度を計算することで、温度検知素子（サーミスタ）を不要にすることができる。【選択図】図１
2014074556.tif 000002
【特許請求の範囲】
【請求項１】
装置本体内に設けられた被加熱物を収納する加熱室と、前記加熱室内に高周波電力を供給する高周波発生装置と前記加熱室内を電熱加熱する電熱加熱手段と、調理時刻等の設定及び表示をする液晶表示ユニットと、前記液晶表示ユニットと前記高周波発生装置と前記電熱加熱手段を駆動する制御部を備え、
前記液晶表示ユニット内の液晶駆動ＩＣで生成した液晶印加電圧は温度係数を持っており、前記液晶印加電圧を測定することで、前記加熱室の温度を計算する液晶表示機能付き高周波加熱調理器。
【請求項２】
前記液晶表示ユニット内の液晶駆動ＩＣを、前記加熱室側に配置することを特徴とした請求項１に記載の液晶表示機能付き高周波加熱調理器。
【請求項３】
前記液晶印加電圧から計算した前記加熱室温度が、任意の温度を超えた場合に、前記電熱加熱手段を停止させることを特徴とした請求項１に記載の液晶表示機能付き高周波加熱調理器。
【発明の詳細な説明】
【技術分野】
【０００１】
本発明は、液晶表示機能付き高周波加熱調理器において、電熱加熱調理時の加熱室内の温度検知に関するものである。
【背景技術】
【０００２】
従来の高周波加熱装置は、本体内に設けられた加熱室内及び被加熱物用照明ランプ（加熱室内照明）と電熱加熱調理時の加熱室温度を測定するための温度検知素子（サーミスタ）とを備えている（例えば、特許文献１参照）。
【先行技術文献】
【特許文献】
【０００３】
【特許文献１】特開２００５−７６９９０号公報
【発明の概要】
【発明が解決しようとする課題】
【０００４】
しかしながら、前記従来の電熱加熱装置付き高周波加熱装置は、本体内に設けられた加熱室内及び温度検知素子（サーミスタ）を備えている。電熱加熱調理時の加熱室温度を測定するために、温度検知素子（サーミスタ）を備える必要性があるという課題を有していた。
【０００５】
本発明は、前記従来の課題を解決するもので、液晶表示ユニット内の液晶駆動ＩＣの液晶印加電圧の温度変動を利用して、前記印加電圧を測定することで、加熱室温度を計算する事ができ、温度検知素子（サーミスタ）を削減することが可能である。
【課題を解決するための手段】
【０００６】
前記従来の課題を解決するために、本発明の液晶表示機能付き高周波加熱調理器は、液晶表示ユニット内の液晶駆動ＩＣで生成した液晶印加電圧より、加熱室温度を計算する事を特徴としたものである。
【０００７】
これによって、温度検知素子（サーミスタ）の代用として液晶表示ユニットを利用することができ、加熱室温度を測定するための温度検知素子（サーミスタ）を使用する必要が無く、コストを削減できる。
【発明の効果】
【０００８】
本発明の液晶表示機能付き高周波加熱調理器は、液晶表示ユニット内の液晶駆動ＩＣで生成した液晶印加電圧から加熱室温度を計算する事で、温度検知素子（サーミスタ）を不要にし、コストを削減することができる。
【図面の簡単な説明】
【０００９】
【図１】本発明の実施の形態１における液晶表示機能付き高周波加熱調理器の構造を示す図
【図２】本発明の実施の形態１における液晶表示ユニットの構成を示す図
【図３】本発明の実施の形態１における駆動ＩＣの液晶印加電圧−駆動ＩＣ周囲温度グラフの例を示す図
【図４】本発明の実施の形態１における液晶表示機能付き高周波加熱調理の制御手段を示すフローチャート
【発明を実施するための形態】
【００１０】
第１の発明は、装置本体内に設けられた被加熱物を収納する加熱室と、前記加熱室内に高周波電力を供給する高周波発生装置と前記加熱室内を電熱加熱する電熱加熱手段と、調理時刻等の設定及び表示をする液晶表示ユニットと、前記液晶表示ユニットと前記高周波発生装置と前記電熱加熱手段を駆動する制御部を備え、前記液晶表示ユニット内の液晶駆動ＩＣで生成した液晶印加電圧は温度係数を持っており、前記液晶印加電圧を測定することで、前記加熱室の温度を計算することにより、前記加熱室温度を測定するための温度検知素子（サーミスタ）を不要にでき、コストを削減することができる。
【００１１】
第２の発明は、特に、前記液晶表示ユニット内の液晶駆動ＩＣを、前記加熱室側に配置することで、前記加熱室温度変動の検知精度を向上させることができる。
第３の発明は、前記液晶印加電圧から計算した前記加熱室温度が、任意の温度を超えた場合に、前記電熱加熱手段を停止させ、この動作を調理終了まで繰り返すことで、加熱室温度を目的の温度に保つことができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における液晶表示機能付き高周波加熱調理器の構造の図を示すものである。
【００１４】
図１において、液晶表示機能付き加熱調理器は、食品などの被加熱物を収納し、加熱調理する加熱室５が設けられている。液晶表示機能付き加熱調理器本体内には、被加熱物を調理するための高周波発生装置１と電熱加熱調理をするための電熱加熱手段４が設けられている。高周波発生装置１で発生した２．４５ＧＨｚ帯の高周波電波は、導波管２を伝搬して、加熱室５内へ供給される。高周波発生装置１は、動作時に発熱し、安定動作させる上で障害となるので、冷却手段３により風を送り、強制冷却する。
【００１５】
液晶表示機能付き加熱調理器には、加熱室全面に、液晶表示ユニット７が設けられている。
【００１６】
制御部８では、ＡＣ電源をＤＣ電源に変換するＡＣ−ＤＣ電源回路が使用されており、制御部８のＩＣ駆動電圧やＬＥＤを駆動する電圧を作り出している。加熱室全面には入力手段９が設けられており、入力手段９には、タッチキー、ダイヤル、レバー等が用いられる。
【００１７】
液晶表示機能付き加熱調理器の上部には、循環ファン６を設けており、液晶表示機能付き加熱調理器の下部に開口した生成ガス吸気口（図示せず）から取り入れたガスコンロ等から発生する生成ガスを、液晶表示機能付き加熱調理器の背面側に設けた排気通路（図示せず）を通し、戸外に排気している。
【００１８】
図２は、本発明の実施の形態１における液晶表示ユニットの構成を示す図である。液晶表示ユニット７は、液晶１０に、駆動ＩＣ１１を備えており、この駆動ＩＣにて、液晶印加電圧を生成している。
【００１９】
以上のように構成された液晶表示機能付き高周波加熱調理器について、以下その動作、作用を説明する。
【００２０】
まず、食品の加熱調理にあたって、入力手段９を用いて加熱出力や調理時間などの加熱
条件を設定する。図４において、液晶表示機能付き高周波加熱調理器で電熱加熱調理する場合の説明を行う。まず加熱室５に被加熱物を収納し、制御部８の入力手段９を用いて、加熱調理（手順Ｆ１）を開始し、電熱加熱手段４で電熱加熱（手順Ｆ２）を行う。
【００２１】
加熱調理中は、液晶表示ユニット７が動作しており、液晶駆動ＩＣ１１にて、液晶印加電圧を生成している。
【００２２】
図３において駆動ＩＣの液晶印加電圧−駆動ＩＣ周囲温度グラフの例を示す。横軸が、駆動ＩＣ周囲温度で、縦軸が液晶印加電圧を示しており、周囲温度が変動すると、液晶印加電圧が変動する。
【００２３】
加熱調理中に、液晶印加電圧を制御部８で読み込み（手順Ｆ３）、液晶駆動ＩＣ１１の周囲温度を求め、加熱室５の温度を計算することが可能となる。この加熱室温度が目的の温度に達している場合は、電熱加熱手段４を一定時間停止（手順Ｆ５）する。目的の温度に達していない場合は、液晶印加電圧の読み込み（手順Ｆ３）を繰り返す（手順Ｆ４）。
【００２４】
電熱加熱手段４を一定時間停止（手順Ｆ５）した後、液晶印加電圧を制御部で読み込み（手順Ｆ６）、加熱室５の温度を測定し、この加熱室温度が目的の温度以下であれば、再度、電熱加熱手段４で電熱加熱（手順Ｆ２）を行う（手順Ｆ７）。加熱室温度が目的の温度以上であれば、液晶印加電圧の読み込み（手順Ｆ６）を繰り返し行う（手順Ｆ７）。
【００２５】
この動作を調理終了まで行うことで、加熱室温度を目的の温度に保つことが可能となる。
【００２６】
以上のように、本実施の形態においては、液晶表示ユニット７内の液晶駆動ＩＣ１１の液晶印加電圧の温度変動を利用して、前記印加電圧を測定することで、加熱室温度を計算する事ができ、加熱室温度の調整をすることができる。
【００２７】
そのため、加熱室温度を測定する温度検知素子（サーミスタ）を使用する必要が無くなるため、コストを削減できる。
【００２８】
また、本実施の形態では、液晶表示ユニット７内の液晶駆動ＩＣ１１を、加熱室側に配置することより、加熱室５の温度変動を、正確に検知することが可能となる。
【産業上の利用可能性】
【００２９】
以上のように、本発明にかかる液晶表示機能付き高周波加熱調理器は、液晶駆動ＩＣの印加電圧の温度変動を利用して、液晶駆動ＩＣの周囲温度を測定することが可能となるため、温度検知を必要とする液晶表示機器の分野にも適用できる。
【符号の説明】
【００３０】
１  高周波発生装置
２  導波管
３  冷却手段
４  電熱加熱手段
５  加熱室
６  循環ファン
７  液晶表示ユニット
８  制御部
９  入力手段
１０  液晶
１１  液晶駆動ＩＣ
【図１】
2014074556.tif 000003
【図２】
2014074556.tif 000004
【図３】
2014074556.tif 000005
【図４】
2014074556.tif 000006